(57)【要約】【課題】組み立てと分解が容易にでき、爪とぎやペット用ヘアドライヤールームなど多機能を提供するペットハウスの提供。【解決手段】ペットハウス４００は、少なくとも３枚の直立側面プレートにより定義される多角形の本体２００を含み、各側面プレートが少なくとも２つの係合スロットを含み、そのうち、隣接する側面プレートの隣接する係合スロットが相互係合されてそれぞれが隣接する側面プレートの一部を受け入れ、隣接する側面プレートがそれらの隣接する係合スロットを介して共に固定され、それにより前記多角形の本体２００内にペットエンクロージャ２２０が形成される。【選択図】図１
0003173136.tif 000002
【実用新案登録請求の範囲】
【請求項１】
少なくとも３枚の直立側面プレートにより定義される多角形の本体を含み、各側面プレートが少なくとも２つの係合スロットを含み、そのうち隣接する前記側面プレートの隣接する前記係合スロットが相互に係合されて、それぞれが隣接する前記側面プレートの一部を受け入れ、隣接する前記係合スロットを介して隣接する前記側面プレートが共に固定され、前記多角形の本体内にペットエンクロージャが形成されることを特徴とするペットハウス。
【請求項２】
前記各側面プレートの前記係合スロットが、隣接する前記側面プレートの前記係合スロットが伸びている一端の反対端から伸びていることを特徴とする請求項１に記載のペットハウス。
【請求項３】
前記多角形の本体上に屋根構造体を含み、前記屋根構造体が少なくとも１枚の屋根プレートを含み、前記多角形の本体に前記屋根構造体を固定するため、前記屋根プレートに１枚以上の側面プレートと係合される係合スロットが設けられたことを特徴とする請求項１に記載のペットハウス。
【請求項４】
前記多角形の本体の底部に設置される底面プレートを含み、前記底面プレートが、前記ペットエンクロージャの底面を形成する上表面を備えていることを特徴とする請求項１に記載のペットハウス。
【請求項５】
前記底面プレートが少なくとも部分的に中空であり、その内部にインサート材を受け入れるためのハウジングが定義され、前記底面プレートがその上表面に開口部を備え、前記インサート材の少なくとも一部が前記ペットエンクロージャに露出されることを特徴とする請求項４に記載のペットハウス。
【請求項６】
前記インサート材が前記ハウジング内に設置された爪とぎであり、前記爪とぎの少なくとも一部が前記開口部を介して前記ペットエンクロージャに露出されることを特徴とする請求項５に記載のペットハウス。
【請求項７】
前記多角形の本体が、４枚の側面プレートから構成されることを特徴とする請求項１に記載のペットハウス。
【請求項８】
１枚以上の側面プレートが少なくとも部分的に中空であり、その内部にインサート材を受け入れるためのハウジングが定義されることを特徴とする請求項１に記載のペットハウス。
【請求項９】
少なくとも１枚の中空の側面プレートが内側表面に１つ以上の開口部を備え、インサート材の少なくとも一部が前記ペットエンクロージャに露出されることを特徴とする請求項８に記載のペットハウス。
【請求項１０】
中空の側面プレート内の前記インサート材が前記側面プレートのハウジング内に設置された爪とぎであり、前記爪とぎの少なくとも一部が前記開口部を介して前記ペットエンクロージャに露出されることを特徴とする請求項９に記載のペットハウス。
【請求項１１】
少なくとも１枚の側面プレートが、前記ペットエンクロージャに接続された入口を備えていることを特徴とする請求項１に記載のペットハウス。
【請求項１２】
一枚の屋根構造体を含み、前記本体と前記屋根構造体によりエンクロージャが形成され、前記エンクロージャがペット用ヘアドライヤールームとして機能することを特徴とする請求項１に記載のペットハウス。
【考案の詳細な説明】
【技術分野】
【０００１】
本考案は、ペットハウスに関し、特に、多機能型ペットハウスに関する。
【背景技術】
【０００２】
ペットを単なる遊び相手ではなく、重要な家族の一員と考える人が増加している。ペットのための快適な生活用のハウスや空間を構築するために多額の金銭を費やすことが一般的に行われている。ペット用品の中でも、ペットハウスは休息、遊び、食事のための空間を提供するため、ペットクリーナーやペット用衣服、ペット用医薬品などほかのペット用品と比べ、常に一番に購入されるものである。
【０００３】
猫や犬用のほとんどの従来のペットハウスは重いため、これらペットハウスの分解や掃除、移動、持ち運びは困難である。さらに、ペットハウスの保管には大きな空間が必要である。従来のペットハウスの問題を解決するため、たとえば米国特許第７３２２３１５号明細書で開示されるように、組み立てと分解が可能なペットハウスが設計されている。これは、プラスチック管や、３方向パイプ、４方向パイプなど多くの部材から構成されるペットハウスを提供している。しかしながら、このペットハウスは部材数が多すぎるため、組み立てに時間と手間がかかる。軽い材料で作られ、容易かつ便利に分解と組み立てが可能なペットハウスが未だ望まれている。
【考案の概要】
【０００４】
従って、本考案の目的は、硬質でも組み立てと分解が容易にできるペットハウスを提供することにある。加えて、爪とぎボードやペット用ヘアドライヤールームなど、いくつかの機能を提供する。
【０００５】
本考案の１つの目的は、少なくとも３枚の直立側面プレートによって定義される多角形の本体を含むペットハウスを提供することにある。本考案によるペットハウスは、各側面プレートが少なくとも２つの係合スロットを含み、そのうち、隣接する前記側面プレートの隣接する係合スロットが相互係合され、前記隣接する側面プレートの一部をそれぞれが受容し、前記隣接する側面プレートがそれらの隣接する係合スロットを介して相互に固定され、それにより多角形の本体内でペットエンクロージャが形成される。
【０００６】
本考案によると、各側面プレートの係合スロットは、隣接する側面プレートの係合スロットが伸びている端部の反対端から伸びている。
【０００７】
本考案によると、前記ペットハウスは紙製としてもよく、好ましくは高強度の紙製とすることができる。より硬質にするため、側面プレートは二層紙で作ることができる。
【０００８】
本考案の一実施形態では、前記ペットハウスがさらに屋根構造体を含み、前記屋根構造体が、１枚以上の側面プレートと係合するための係合スロットを備えた少なくとも１枚の屋根プレートを含み、該屋根構造体を前記本体に固定することができる。
【０００９】
本考案によると、１枚以上の前記側面プレートは少なくとも部分的に中空であり、インサート材をその内部に受け入れるハウジングが定義される。本考案によるペットハウスでは、前記側面プレートの１つが内側表面に１つ以上の開口部を備え、インサート材の少なくとも一部が前記ペットエンクロージャに露出される。
【００１０】
本考案の別の実施形態では、さらに前記ペットハウスが本体の底部に底面プレートを含み、該底面プレートは前記ペットエンクロージャの底部を形成する上表面を備えている。一実施形態では、前記底面プレートが少なくとも部分的に中空であり、インサート材をその内部に受け入れるハウジングが定義され、前記底面プレートはその上表面に開口部を備え、前記インサート材の少なくとも一部が前記ペットエンクロージャに露出される。
【００１１】
本考案によると、前記インサート材は、たとえば爪とぎボードなどの爪とぎであり、前記プレートのハウジング内に設置され、前記爪とぎの少なくとも一部が前記開口部を介して前記ペットエンクロージャに露出される。
【００１２】
本考案によるペットハウスの一実施形態では、少なくとも１枚の側面プレートが、ペットエンクロージャに接続された入口を備えている。
【００１３】
本考案によるペットハウスは、猫や犬など任意のペット用とすることができる。このペットハウスは組み立てと分解が容易にできる。また、このペットハウスは、ペットが遊ぶことによる変形や破損が起こりにくい頑丈な構造を具備できるように組み立てられる。
【００１４】
本考案の上述及びほかの目的、特徴及び利点をより明らかにするため、本考案の好ましい実施例と添付の図面を利用して以下でより詳細に説明する。
【００１５】
上記の概要ならびに本考案の以下の詳細な記載は、添付図面と共に読めばより良く理解される。本考案を図示するため、図中には現在好ましい実施例が図示されているが、本考案は図示されている正確な配置および手段に限定されるものではないと理解されなければならない。
【図面の簡単な説明】
【００１６】
【図１】本考案によるペットハウスの立体外観図である。
【図２】図１のペットハウスの本体の立体分解図である。
【図３】内部にインサート材を受け入れるハウジングを定義した中空の４枚の直立側面プレートで構成される本体の立体外観図である。
【図４】底面プレートを備えたペットハウスの立体図である。
【図５】内部にインサート材を受け入れるハウジングを定義しており、爪とぎなどのインサート材の少なくとも一部をペットエンクロージャに露出するための開口部を表面に備えた中空の底面プレートを示す立体図である。
【図６】内部にインサート材を受け入れるハウジングを定義した中空の側面プレートの立体外観図である。
【図７】内部にインサート材を受け入れるハウジングを定義した中空の側面プレートの立体図であり、爪とぎなどのインサート材が側面プレートのハウジング内に設置される。
【図８】内部にインサート材を受け入れるハウジングを定義した中空の側面プレートの立体図であり、爪とぎなどのインサート材が側面プレートのハウジング内に設置される。
【図９】側面プレートと屋根プレートにいくつかの開口部を備えた本考案によるペットハウスの本体を示す立体外観図である。
【図１０】図９のペットハウスの本体の立体分解図である。
【図１１Ａ】内部にインサート材を受け入れるハウジングを定義しており、爪とぎなどのインサート材の少なくとも一部をペットエンクロージャに露出するための１つ以上の開口部を表面に備えた中空の側面プレートを示す立体図である。
【図１１Ｂ】内部にインサート材を受け入れるハウジングを定義しており、爪とぎなどのインサート材の少なくとも一部をペットエンクロージャに露出するための１つ以上の開口部を表面に備えた中空の側面プレートを示す立体図である。
【図１２】１枚の屋根を備え、ペットの被毛を乾かすためのペット用ヘアドライヤールームとして機能する閉鎖されたエンクロージャを形成した本考案によるペットハウスの本体を示す立体外観図である。
【図１３】中空ではない一層の紙製のペットハウスの立体構造を示す立体外観図である。
【図１４】中空ではない一層の紙製の側面プレートを示す立体外観図である。
【図１５】３枚の直立側面プレートから構成される本考案のペットハウスの三角構造を示す立体図である。
【図１６】三角構造または２を超える奇数で構成される構造向けに特に設計された側面プレートを示す立体外観図であり、一端に１つの係合スロットを備え、反対端にもう１つの係合スロットを備えている。
【考案を実施するための形態】
【００１７】
図１に本考案によるペットハウスの構造を示す。ペットハウス４００は多角形の本体２００と屋根構造体１００から構成され、屋根構造体１００は多角形の本体の上部に設置される。
【００１８】
図２に示すように、多角形の本体２００は４枚の直立側面プレート２１０、２１１から構成され、各側面プレートは少なくとも２つの係合スロット２１０ａ、２１０ｂを備えている。側面プレート２１０と隣接する側面プレート２１１を固定するため、係合スロット２１０ａが隣接する側面プレート２１１の隣接する係合スロット２１０ｂと相互係合され、係合スロット２１０ａが隣接する側面プレート２１１の一部を受け入れ、隣接する側面プレート２１０、２１１がそれぞれの隣接する係合スロット２１０ａ、２１０ｂを介して共に固定され、多角形の本体２００内にペットエンクロージャ２２０が形成される。
【００１９】
図２に、直立側面プレートの組み立てを表す本考案の一実施例を示す。各側面プレート２１０の係合スロット２１０ａは、隣接する側面プレート２１１の係合スロット２１０ｂが伸びている端部の反対端から伸びている。多角形の本体２００は直立側面プレート２１０と２１１などから構成される。本考案の一実施例において、側面プレート２１０の係合スロット２１０ａは、隣接する側面プレート２１１と相互係合させるために適した長さを備えている。硬質の安定的な構造の本体２００を備えた本考案の一実施例において、直立側面プレート２１０の幅は、その反対側の側面プレートと同じであり、２つのスロット２１０ａ間の距離は、その反対側の側面プレートのスロット間の距離と同じである。側面プレート２１０は隣接する係合スロットを介して共に固定され、多角形の本体内にペットエンクロージャ２２０が形成される。図３に示すように、多角形の本体２００内のペットエンクロージャ２２０は、ペットの休息、食事、遊びに使用することができる。
【００２０】
さらに、図１に示すように、屋根構造体１００は、１枚以上の側面プレート２１０と係合して屋根構造体１００を本体２００に固定するための係合スロット１１０ａを備えた少なくとも１つの屋根プレート１１０を含む。
【００２１】
図１または図２に示す本考案の一実施例において、本体２００は４枚の直立側面プレート２１０、２１１から構成される。ただし、ほかの実施例において、側面プレートの数は４枚に限定されず、３枚以上の任意の数とすることができる。
【００２２】
図３に示す本考案の一実施例では、少なくとも１枚の側面プレート２１０が部分的に中空であり、その内部にインサート材を受け入れるためのハウジング２１０ｃまたは２１０ｄが定義される。
【００２３】
図４に示す本考案による本体２００の一実施例は底面プレート３００を備えている。ペットハウス４００は本体の底部に底面プレート３００を含み、底面プレート３００はペットエンクロージャ２２０の底部を形成する上表面３１０を備えている。底面プレート３００は少なくとも部分的に中空であり、その内部にインサート材７００を受け入れるためのハウジング３００ｃが定義される。図４または図５に示すように、底面プレート３００はその上表面３１０に少なくとも１つの開口部３００ａを含み、インサート材７００の少なくとも一部がペットエンクロージャ２２０に露出される。一実施例において、インサート材７００は爪とぎボードなどの爪とぎであり、ハウジング内に設置された爪とぎの少なくとも一部が開口部３００ａを介してペットエンクロージャ２２０に露出される。
【００２４】
図６に示すように、側面プレート２１０は中空であり、その内部にインサート材を受け入れるためのハウジング２１０ｃまたは２１０ｄが定義される。図７と図８に示すように、たとえば爪とぎボードなどの爪とぎとされる前記インサート材７００が、側面プレート２１０のハウジング２１０ｃまたは２１０ｄ内に設置される。
【００２５】
本考案の一実施例において、少なくとも１枚の側面プレートが前記ペットエンクロージャに接続された入口を備えている。
【００２６】
本考案によると、ペットハウス４００は容易に組み立ておよび分解ができることが理解される。本考案は、従来のペットハウスが組み立ておよび分解に不便で、時間と手間がかかるという問題に解決策を提供する。加えて、本考案は、たとえば容易に移動や持ち運びができる、保管に便利で占有する空間が少なくて済むなど、多くの利点がある。
【００２７】
実施例２
図９に本考案の別の実施例を示す。図９と図１０に示すように、ペットハウス４００’は４枚の直立側面プレートから構成される多角形の本体２００’と、少なくとも２枚の屋根プレートを備えた屋根構造体１００’から構成される。前記側面プレートおよび（または）屋根プレートは１つ以上の開口部を備えている。前記開口部は動物や花の形状など、多様な形状に設計することができる。
【００２８】
ペットハウス４００’は４枚の直立側面プレート２１０’から構成される多角形の本体２００’と２枚の屋根プレート１１０’を備えた屋根構造体から構成され、各側面プレート２１０’と屋根プレート１１０’が少なくとも２つの係合スロット２１０ａと、１１０ａを備え、かつ少なくとも１つの開口部２１０ｂと１１０ｂをそれぞれ備えている。側面プレートのハウジング内に設置されたインサート材が前記開口部を介してペットエンクロージャに露出される。加えて、側面プレートまたは屋根プレートの開口部は通気用の窓またはペットエンクロージャに接続された入口を提供する。
【００２９】
図１１Ａと図１１Ｂに示す本体２００’は、４枚の直立側面プレート２１０’から構成され、図１１Ａと図１１Ｂに示すように、側面プレートは中空でその内部にインサート材８００を受け入れるためのハウジング２１０ｃ、２１０ｄが定義される。少なくとも１枚の側面プレートにはインサート材が設置されず、ペットエンクロージャに接続された入口を備えている。
【００３０】
本実施例において、開口部１１０ｂまたは２１０ｂの形状は猫の輪郭の形状であるが、別の実施例では任意のほかの形状に設計することができる。
【００３１】
実施例３
図１２に本体２００’と屋根構造体５００を備えたペットハウス６００を示す。屋根構造体５００は１枚の屋根プレート５１０であり、多角形の本体２００’の上に配置され、かつ複数のスロットまたは空洞部５１２と５１４を備えているが、ほかの開口部はない。スロット５１２、５１４のみを備えたエンクロージャ２２０’が本体２００’と屋根構造体５００により形成される。スロット５１２、５１４は空気吸入口と排出口をそれぞれ提供する。開口部２１０ｂはインサート材８００によって遮断され、エンクロージャをより閉鎖された状態に保つ。空気または熱気がスロット５１２などスロットのいずれかからエンクロージャ２２０’に導入され、ペットの被毛を乾かすためのペット用ヘアドライヤールームとして機能する。一例において、空気または熱気はブロワーによって閉鎖されたエンクロージャに導入される。通気性をよりよくするため、側面プレートにいくつかの小さな開口部２１２ｂが設けられる。したがって、ペットハウス６００はペットの被毛を乾かすための快適な空間を提供する。
【００３２】
実施例４
図１３に本考案の一実施例の多角形の本体２００’’と屋根構造体１００から構成される一層の紙製のペットハウス４００’’を示す。図１３と図１４に示すように、側面プレート２１０’’は一層の紙製であり、ほかのペットハウスより軽く、組み立てと分解がより容易で、手間がかからない。
【００３３】
実施例５
図１５に本考案の別の実施例の三角構造のペットハウスを示す。図１５と図１６に示すように、１枚の側面プレートは三角構造向けまたは２を超える奇数により構成される構造向けに特別に設計されている必要があり、１つの係合スロットが一端に設けられ、もう１つの係合スロットが反対端に設けられる。図１５と図１６に示すように、ペットハウス１０００は多角形の本体９００と屋根構造体（図示しない）から構成される。多角形の本体９００は２枚の側面プレート９１０と１枚の側面プレート９１０’から構成され、そのうち各側面プレート９１０は同一端に２つの係合スロット９１０ａを備えている。しかし、側面プレート９１０’は１つの係合スロット９１０’ａを一端に、他方の係合スロット９１０’ｂを反対端に備えている。側面プレートを共に固定するには、側面プレートの係合スロットを相互係合してそれぞれが隣接する側面プレートの隣接する係合スロットを介して隣接する側面プレートの一部を受け入れ、ペットエンクロージャを形成する。
【００３４】
本考案の広範な概念から外れることなく上述の実施例に変更を加えられることは、当業者には明白であろう。従って、本考案は、ここに明らかにされた具体的な実施形態に限定されるものではなく、添付の実用新案登録請求の範囲で定義される本考案の趣旨と範囲内で修正を包含することが意図されると理解されるべきである。
【符号の説明】
【００３５】
１００                屋根構造体
２００                本体
２１０、２１１        直立側面プレート
２１０ａ、２１０ｂ    係合スロット
２２０                ペットエンクロージャ
４００                ペットハウス
【図１】
0003173136.tif 000003
【図２】
0003173136.tif 000004
【図３】
0003173136.tif 000005
【図４】
0003173136.tif 000006
【図５】
0003173136.tif 000007
【図６】
0003173136.tif 000008
【図７】
0003173136.tif 000009
【図８】
0003173136.tif 000010
【図９】
0003173136.tif 000011
【図１０】
0003173136.tif 000012
【図１１Ａ】
0003173136.tif 000013
【図１１Ｂ】
0003173136.tif 000014
【図１２】
0003173136.tif 000015
【図１３】
0003173136.tif 000016
【図１４】
0003173136.tif 000017
【図１５】
0003173136.tif 000018
【図１６】
0003173136.tif 000019